(57)【要約】      （修正有）【課題】屋根の棟部分に設けた屋根開口部を覆うように下部材を設け、この下部材の上方側に、該下部材との間に梁行方向一端側から他端側にわたって空気を流通させると共に棟部分で屋根開口部に連通する通風路を形成するように上部材を間隔をおいて取り付けるようにした屋根の換気装置において、部品点数削減による低コスト化を図った換気装置を提供する。【解決手段】下部材１２と上部材１３との間に邪魔板部材３７を設け、この邪魔板部材３７は、下部材１２に取り付けられる下板部３８Ａ，３８Ｂと、上部材１３を取り付けるための上板部３９と、これら上下板部３８Ａ，３８Ｂ，３９を連結し且つ屋根流れ方向で対向する複数の縦板部４０Ａ，４０Ｂとを一体形成してなり、隣接する縦板部４０Ａ，４０Ｂの一方側に上部材１３寄りに位置する通風口４３Ｂを設けると共に、他方側に下部材１２寄りに位置する通風口４３Ａを設ける。【選択図】      図１
2004278064.tif 000002
【特許請求の範囲】
【請求項１】
屋根の棟部分に屋根開口部を設け、この屋根開口部の上方側に該屋根開口部を覆うように下部材を設け、この下部材の上方側に該下部材を覆うように上部材を設け、下部材と上部材との間を、梁行方向一端側から他端側にわたって空気を流通させると共に棟部分で屋根開口部に連通する通風路とし、下部材と上部材との間に邪魔板部材を設け、この邪魔板部材は、下部材に取り付けられる下板部と、上部材を取り付けるための上板部と、これら上下板部を連結し且つ屋根流れ方向で対向する複数の縦板部とを一体形成してなり、隣接する縦板部の一方側に上部材寄りに位置する通風口を設けると共に、他方側に下部材寄りに位置する通風口を設けていることを特徴とする屋根の換気装置。
【請求項２】
下部材及び上部材は、上壁と、この上壁の梁行方向両側から屋根面に向けて延びる側壁とを備え、上部材の側壁は、下部材の側壁よりも軒側に位置していて、該側壁と屋根面との間が通風路の空気の出入口とされ、邪魔板部材には、下部材の上壁の軒側の端部側から上部材と下部材との上壁間の中途部に向けて立ち上がる立上板部と、この立上板部の上端側から軒側に向けて突出する風きり部とが一体形成されていることを特徴とする請求項１に記載の屋根の換気装置。
【請求項３】
邪魔板部材の棟側には、下板部から上部材と下部材との上壁間の中途部に向けて立ち上がる立上板部を備え、この立上板部と、この立上板部に対向する縦板部との間に挿入状とされ且つ上部材の上壁側から上部材と下部材との上壁間の中途部に向けて垂れ下がる邪魔板部を備えた第２の邪魔板部材を設けたことを特徴とする請求項１又は２に記載の屋根の換気装置。
【発明の詳細な説明】
【０００１】
【発明の属する技術分野】
本発明は、屋根の棟部分に設けられる屋根の換気装置に関するものである。
【０００２】
【従来の技術】
従来、屋根の換気装置として、本願出願人は、図６に示すような換気装置を市場に提供している。
この屋根の換気装置は、屋根６１の棟部分に屋根開口部６２を設け、この屋根開口部６２の上方側に該屋根開口部６２を覆うように下部材６３を設けると共に、この下部材６３の上方側に該下部材６３を覆うように上部材６４を設け、これら下部材６３と上部材６４との間を、梁行方向一端側から他端側にわたって空気を流通させると共に棟部分で屋根開口部６２に連通する通風路６５とし、この通風路６５を介して屋根４の内側の換気を図っている。
【０００３】
また、通風路内６５は、該通風路６５の空気の出入口６６から吹き込む横風に含まれる雨水等の水が屋根裏にまで達しないように、上部材６４又は下部材６３から突出する複数の邪魔板６７を設けて、ラビリンス構造としている。
また、上部材６４と下部材６３との間隔を保持するために、邪魔板６７とは別体で形成された支持部材６８を設けている。
また、通風路をラビリンス構造とするために邪魔板を設け、通風路を形成する上下部材の間隔を保持する支持部材を設けた屋根の換気装置として、特許文献１に記載のものがある。
【０００４】
【特許文献１】
特開２００１−２５４４９２号公報。
【０００５】
【発明が解決しようとする課題】
前記従来の屋根の換気装置にあっては、部品点数が多くコスト高であるという問題がある。
そこで、本発明は、前記問題点に鑑み、屋根開口部を覆う下部材に対して上部材を間隔をおいて取り付けるようにした構造の換気装置において、防水性の確保を図ると共に低コスト化を図った屋根の換気装置を提供することを目的とするものである。
【０００６】
【課題を解決するための手段】
本発明が課題を解決するために講じた技術的手段は、屋根の棟部分に屋根開口部を設け、この屋根開口部の上方側に該屋根開口部を覆うように下部材を設け、この下部材の上方側に該下部材を覆うように上部材を設け、下部材と上部材との間を、梁行方向一端側から他端側にわたって空気を流通させると共に棟部分で屋根開口部に連通する通風路とし、下部材と上部材との間に邪魔板部材を設け、この邪魔板部材は、下部材に取り付けられる下板部と、上部材を取り付けるための上板部と、これら上下板部を連結し且つ屋根流れ方向で対向する複数の縦板部とを一体形成してなり、隣接する縦板部の一方側に上部材寄りに位置する通風口を設けると共に、他方側に下部材寄りに位置する通風口を設けていることを特徴とする。
【０００７】
また、下部材及び上部材は、上壁と、この上壁の梁行方向両側から屋根面に向けて延びる側壁とを備え、上部材の側壁は、下部材の側壁よりも軒側に位置していて、該側壁と屋根面との間が通風路の空気の出入口とされ、邪魔板部材には、下部材の上壁の軒側の端部側から上部材と下部材との上壁間の中途部に向けて立ち上がる立上板部と、この立上板部の上端側から軒側に向けて突出する風きり部とが一体形成されていてもよい。
また、邪魔板部材の棟側には、下板部から上部材と下部材との上壁間の中途部に向けて立ち上がる立上板部を備え、この立上板部と、この立上板部に対向する縦板部との間に挿入状とされ且つ上部材の上壁側から上部材と下部材との上壁間の中途部に向けて垂れ下がる邪魔板部を備えていてもよい。
【０００８】
【発明の実施の形態】
以下、本発明の第１の実施形態を図にもとづいて説明する。
図１〜４において、１は桁行方向に設けられた棟木であり、２は棟から軒に向けて設けられた垂木であり、これら棟木１と垂木２とで組み上げた（屋根４の）骨組上に野地板３が張り付けられており、この野地板３の上面側には、アスファルトルーフィング等の防水シート５が敷かれ、その上に化粧スレート板等の屋根材６を葺くことで屋根４が主構成されている。
【０００９】
この屋根４の棟部分には、屋根裏から外部に向けて上下方向に貫通する屋根開口部７が形成されている。この屋根開口部７は、例えば、垂木２，野地板３及び屋根材６等を切り欠いてなり、この屋根開口部７の上方に、棟を挟む一対の屋根面４ａ間に跨るように、且つ屋根開口部７を覆うように換気棟１０が設けられている。
なお、前記屋根開口部７は、屋根４の桁行方向中途部に形成され、換気棟１０で覆われる屋根４の棟部分以外の屋根４の棟部分は棟包み（図示省略）で覆われている。
【００１０】
また、屋根開口部７の梁行方向両縁側には、屋根面４ａを伝って雨水が屋根開口部７から屋根裏に浸入するのを防ぐために、屋根面４ａ側から上方側に延びるように設けられた水切り部材１１が設けられている。
また、以下の説明において、屋根流れ方向での棟側を単に棟側、屋根流れ方向での軒側を単に軒側と呼ぶ。
前記換気棟１０は、防腐加工が施された板金等で形成された下部材１２と上部材１３とを備えており、下部材１２は、屋根開口部７の上方側に配置されていて、棟を挟む一対の屋根面４ａ間に跨るように且つ屋根開口部７を覆うように配置され、上部材１３は、前記下部材１２の上方側に且つ該下部材１２を覆うように（下部材１２に覆い被さるように）配置されている。
【００１１】
前記下部材１２は、上壁１６と、この上壁１６の梁行方向（桁行方向に直交する水平方向）の両縁側（上壁１６の両側の軒側の端部）から下方側に（屋根面４ａに向けて）延びる側壁１７と、この各側壁１７の下端から屋根面４ａに沿って梁行方向外方側に延びる設置壁１８とを備えている。
この下部材１２の上壁１６は、梁行方向中央部（屋根４の棟部分）で屈曲されていて屋根面４ａの傾斜に対応する山形状（棟から梁行方向両外方に行くに従って下方に移行する傾斜状）に形成されている。
【００１２】
また、この上壁１６の頂部（梁行方向中央側）には、屋根開口部７に上下方向で対向する（屋根開口部７の上方に位置する）排気口２０が形成されており、この排気口２０は、桁行方向（下部材１２の長手方向）に長い略矩形状に形成されている。
なお、排気口２０は、桁行方向に連続状に形成したものであってもよいし、桁行方向に所定間隔をおいて複数形成してもよく、また、平面形状は矩形状でなくても長円状等どのような形状であってもよい。
【００１３】
この下部材１２は、その設置壁１８が屋根面４ａ上に防水材２４を介して載置され、その上から釘等の固定部材２５を野地板３等に達するまで打ち込むことで、屋根面４ａ上に固定されている。
また、屋根４の上面には、下部材１２の上壁１６の下方側で且つ側壁１７の内方側に配置された固定用金具２１がビス等の固定部材２２によって固定され、この固定用金具２１に、下部材１２の側壁１７がビス等の固定部材２３によって取付固定されている。
【００１４】
上部材１３は、上壁２７と、この上壁２７の梁行方向の両縁側（上壁２７の両側の軒側の端部）から下方側に（屋根面４ａに向けて）延びる側壁２８と、この各側壁２３の下端から屋根面４ａに沿って梁行方向内方側に延びるガイド壁２９とを備えている。
この上部材１３の上壁２７は、下部材１２と同様、梁行方向中央部（屋根４の棟部分）で屈曲されていて屋根面４ａの傾斜に対応する山形状（棟から梁行方向両外方に行くに従って下方に移行する傾斜状）に形成されている。
【００１５】
また、この上部材１３の側壁２８は、下部材１２の側壁１７より軒側に位置する。
この上部材１３は、下部材１２との間に一定の空間を保つように、下部材１２の上方に配置されており、かかる上部材１３と下部材１２との間の空間が、梁行方向一端側から他端側にわたって空気を流通させると共に棟部分で屋根開口部７に連通する通風路３１とされており、上部材１３の側壁２８の下端と屋根面４ａとの間が通風路３１の空気の出入口３２とされている。
【００１６】
また、下部材１２の桁行方向両側には、上壁１６の桁行方向の端部から上部材１３の上壁２７の近傍に向けて立ち上がる閉塞板３４が、下部材１２の上壁１６の梁行方向一端から他端にわたって設けられている。
また、上部材１３の桁行方向両側には、上壁２７の桁行方向端部から下部材１２の上壁１６近傍に向けて垂れ下がる閉塞板３５が、上部材１３の上壁２７の梁行方向一端から他端にわたって設けられており、この閉塞板３５は前記下部材１２に設けられた閉塞板３４の桁行方向の外側に位置されている。
【００１７】
これら閉塞板３４，３５によって、通風路３１の桁行方向両側端部が塞がれている。
また、下部材１２は棟包みに桁行方向でつき合わせ状に接続されており、この棟包みは、下部材１２の上壁１６、側壁１７、設置壁１８に対応する上壁、側壁及び設置壁を有していて下部材１２と略同じ形状に形成されている。
なお、下部材１２と棟包みとの接続部分の下面側には、これらを接続するため及びこれらの接続部分からの水の侵入を防止するためのジョイントピースが設けられている。
【００１８】
また、図例のものでは、換気棟１０の下部材１２及び上部材１３の上壁１６，２７の勾配は屋根４の勾配に比べて緩やかとなっているが、換気棟１０の下部材１２及び上部材１３の上壁１６，２７の勾配を屋根４の勾配と同じ勾配にしても勿論よい。
通風路３１内（下部材１２と上部材１３の上壁１６，２７間）には、通風路３１内をラビリンス（迷路）構造とし且つ下部材１２に対して上部材１３を間隔をおいて（通風路３１が形成されるように）配置する（取り付ける）ための邪魔板部材３７が設けられている。
【００１９】
この邪魔板部材３７は、通風路３１内をラビリンス構造とする機能と、上部材１３の取付部材としての機能とを有し、部品点数削減による換気棟１０の低コスト化が図られている。
この邪魔板部材３７は、上部材１３及び下部材１２とは別体で形成され、排気口２０を挟んで梁行方向両側にそれぞれ設けられており、下部材１２及び上部材１３の桁行方向の長さと略同じ長さに形成されている。
各邪魔板部材３７は、下部材１２に取り付けられる下板部３８Ａ，３８Ｂと、上部材１３を取り付けるための上板部３９と、これら上下板部３８Ａ，３８Ｂ，３９を連結し且つ屋根流れ方向で対向する複数の縦板部４０Ａ，４０Ｂとを備えており、これらは板材を折曲等することにより一体形成されている。
【００２０】
図例のものでは、縦板部４０Ａ，４０Ｂは、屋根流れ方向に間隔をおいて対向配置されて、一対設けられ、軒側（屋根流れ方向下側）の縦板部４０Ａには、下部側（下部材１２寄り）に空気を流通させる通風口４３Ａが設けられ、棟側（屋根流れ方向上側）の縦板部４０Ｂには、上部側（上部材１３寄り）に空気を流通させる通風口４３Ｂが設けられている。
上板部３９は、この一対の縦板部４０Ａ，４０Ｂの上端部同志を連結しており、該上板部３９にはナット部材４１が設けられ、上部材１３の上壁２７及び上板部３９を上部材１３の上壁１６の上方側から貫通し且つ前記ナット部材４１に螺合するビス等の固定部材４２によって上板部３９に上部材１３が取付固定されている。
【００２１】
下板部３８Ａ，３８Ｂは、軒側の縦板部４０Ａの下端から下部材１２の上壁１６に沿って且つ該上壁１６の軒側端部（屋根流れ方向の下側端部側）に向けて延出された下板部３８Ａと、棟側の縦板部４０Ｂの下端から下部材１２の上壁１６に沿って且つ屋根開口部７に向けて延出された下板部３８Ｂとを有する。
これら下板部３８Ａ，３８Ｂはリベット等の固定部材４５によって下部材１２の上壁１６に取付固定されている。
また、軒側の下板部３８Ａの延出端部は、下部材１２の上壁１６の軒側端部近傍に位置し、棟側の下板部３８Ｂの延出端部は、屋根開口部７の開口縁近傍に位置する。
【００２２】
また、邪魔板部材３７は、軒側の下板部３８Ａの軒側端部から上部材１３の上壁２７に向けて立ち上がる立上板部４６と、棟側の下板部３８Ｂの棟側端部から上部材１３の上壁２７に向けて立ち上がる立上板部４７とを有する。
これら立上板部４６，４７は邪魔板部材３７の長さ方向にわたって設けられており、また、これら立上板部４６，４７の上端部は、下部材１２と上部材１３との上壁１６，２７間の中途部に位置していて、各立上板部４６，４７の上端部と上部材１３の上壁２７との間が空気流通用の開口４８，４９とされている。
【００２３】
また、各立上板部４６，４７の上端部には、該上端部から軒側に突出する風きり部５０，５１が邪魔板部材３７の長さ方向にわたって一体形成されている。
また、軒側の立上板部４３の風きり部５０は、上部材１３のガイド壁２９よりも高い位置に位置する。
また、本実施の形態にあっては、前述した邪魔板部材３７の他に、該邪魔板部材３７と略同長さに形成された第２の邪魔板部材５４が設けられている。
この第２の邪魔板部材５４は、上部材１３の上壁２７と邪魔板部材３７の上板部３９との間に挟み込まれて固定部材４２等によって上板部３９に取り付けられる取付部５５と、この取付部５５の棟側端部から垂れ下がる邪魔板部５６とを備えている。
【００２４】
邪魔板部５６は、棟側の立上板部４７と、この立上板部４７に対向する棟側の縦板部４０Ｂとの間に挿入状とされ且つ下端部は下部材１２と上部材１３との上壁１６，２７間の中途部に位置していて、邪魔板部５６の下端部と下部材１２の上壁１６（邪魔板部材３７の棟側下板部３８）との間が空気流通用の開口５７とされている。
前記構成の換気棟１０にあっては、屋根裏からの空気は、図１に矢印ａで示す如く、屋根開口部７及び排気口２０を通って通風路３１に侵入し、邪魔板部材３７及び第２の邪魔板部材５４を、棟側から軒側へと上下に蛇行して通過し、通風路３１の出入口３２から外部に排気される。
【００２５】
また、外部からは、通風路３１の出入口３２から梁行方向の横風が入ることがあると共に、この横風と一緒に雨水等の水が入ることがあるが、この出入口３２から通風路３１に侵入した外部の風は、下部材１２の側壁１７外面及び邪魔板部材３７の軒側の立上板部４６外面に沿って上方に向き変更すると共に風きり部５０にガイドされて軒側に向き変更し、該風きり部５０の軒側端部を迂回し且つ軒側の立上板部４６を越えて棟側へと流れる。
したがって、風きり部５０が通風路３１の出入口３２から侵入する風の流通の抵抗となり、該風きり部５０によって通風路３１の出入口３２から侵入する風の勢いが抑制されるようになっている。
【００２６】
このように、風きり部５０によって通風路３１の出入口３２から侵入する風の勢いを抑制することにより、雨水等の侵入を通風路３１の出入口３２の内側付近で確実に防止し、通風路３１への水の侵入を防止できる。
また、軒側の立上板部４６を越えて棟側に流れる空気は、軒側の縦板部４０Ａにガイドされて下方側に案内され、該軒側の縦板部４０Ａの通風口４３Ａを通過し、その後、棟側の縦板部４０Ｂにガイドされて上方側に案内され、該棟側の縦板部４０Ｂの通風口４３Ｂを通過し、その後、第２の邪魔板部材５４の邪魔板部５６にガイドされて下方側に案内され、該邪魔板部５６と、邪魔板部材３７の棟側の下板部３８Ｂとの間の開口５７を通過する。
【００２７】
そして、この開口５７を通過した空気は、棟側の立上板部４７を越えて排気口２０側へと流れる場合があるが、このとき、前記開口５７を通過した空気は棟側の立上板部４７及び風きり部５１によって風の勢いが抑制され、出入口３２から侵入した横風がここまで達したとしても、排気口２０及び屋根開口部７を介しての屋根裏側への水の侵入を確実に防止する。
なお、前記風きり部５０，５１は、排気口から出入口へと流れる排気空気に対しては、抵抗とはならない。
【００２８】
また、本実施の形態にあっては、上部材１３の側壁２８下端に設けられた、棟側に向けて延びるガイド壁２９によって、通風路３１の出入口３２を介して外部から屋根面４ａに沿って侵入する風を、棟側の立上板部４６の風きり部５０の下方側へと案内でき、これによって、前述した風の勢いの抑制効果を高めることができる。
前記構成の換気棟１０を取り付ける場合、例えば、まず、該換気棟１０を設置する部分以外の部分に棟包みを取り付けると共に、屋根面４ａ上に固定用金具２１を固定し、次に、下部材１２を一対の屋根面４ａ，４ａ間に跨らせ且つ棟包みに接続されるように配置する。このとき、邪魔板部材３７（及び第２の邪魔板部材５４）を、予め、下部材１２に取り付けておく。
【００２９】
そして、下部材１２の設置壁１８を屋根面４ａ上に固定すると共に固定用金具２１に下部材１２の側壁１７を固定し、その後、上部材１３を下部材１２に被せて邪魔板部材３７に取付固定する。
図５は、第２の実施の形態に係る換気棟１０を示しており、この実施の形態にあっては、第１の実施の形態における第２の邪魔板部材は設けられておらず、また、この実施の形態における邪魔板部材３７は以下のように構成されている。
すなわち、邪魔板部材３７は４枚の縦板部４０Ａ〜Ｄが設けられている（屋根流れ方向下側から上側に向けて、第１の縦板部４０Ａ、第２の縦板部４０Ｂ、第３の縦板部４０Ｃ、第４の縦板部４０Ｄという）。
【００３０】
第１・３の縦板部４０Ａ，４０Ｃには、下部側に通風口４３Ａ，４３Ｃが設けられ、第２・４の縦板部４０Ｂ，４０Ｄには、上部側に通風口４３Ｂ，４３Ｄが設けられている。
上板部３９Ａ，３９Ｂは屋根流れ方向一対設けられ、軒側の上板部３９Ａは第１の縦板部４０Ａと第２の縦板部４０Ｂの上端同志を連結し、棟側の上板部３９Ｂは第３の縦板部４０Ｃと第４の縦板部４０Ｄの上端同志を連結している。
下板部３８Ａ，３８Ｂは前記第１の実施の形態と同様一対設けられ、棟側の下板部３８Ｂは第２の縦板部４０Ｂと第３の縦板部４０Ｃの下端同志を連結している。
【００３１】
また、この実施の形態における邪魔板部材３７においても、軒側に立上板部４６及び風きり部５０が設けられている。
その他の構成は、前記第１の実施の形態と略同様に構成される。
この第２の実施の形態の場合、一方の上板部３９Ａ（又は３９Ｂ）に上部材１３が取り付けられていてもよいし、両方の上板部３９Ａ，３９Ｂに上部材１３が取り付けられていてもよい。
【００３２】
【発明の効果】
本発明によれば、屋根の棟部分に屋根開口部を設け、この屋根開口部の上方側に該屋根開口部を覆うように下部材を設け、この下部材の上方側に該下部材を覆うように上部材を設け、下部材と上部材との間を、梁行方向一端側から他端側にわたって空気を流通させると共に棟部分で屋根開口部に連通する通風路とし、下部材と上部材との間に邪魔板部材を設け、この邪魔板部材は、下部材に取り付けられる下板部と、上部材を取り付けるための上板部と、これら上下板部を連結し且つ屋根流れ方向で対向する複数の縦板部とを一体形成してなり、隣接する縦板部の一方側に上部材寄りに位置する通風口を設けると共に、他方側に下部材寄りに位置する通風口を設けているので、邪魔板部材は通風路をラビリンス構造とする機能と、上部材の取付部材としての機能とを有し、部品点数削減による換気装置の低コスト化を図ることができる。
【００３３】
また、下部材及び上部材は、上壁と、この上壁の梁行方向両側から屋根面に向けて延びる側壁とを備え、上部材の側壁は、下部材の側壁よりも軒側に位置していて、該側壁と屋根面との間が通風路の空気の出入口とされ、邪魔板部材には、下部材の上壁の軒側の端部側から上部材と下部材との上壁間の中途部に向けて立ち上がる立上板部と、この立上板部の上端側から軒側に向けて突出する風きり部とが一体形成されていることにより、通風路の出入口から侵入する風を風きり部によって抑制でき、換気装置に必要な防水機能を簡単に高めることができる。
【図面の簡単な説明】
【図１】本発明の第１の実施形態に係る換気装置の梁行方向の面での断面図である。
【図２】第１の実施の形態に係る換気装置の拡大断面図である。
【図３】第１の実施の形態に係る換気棟の分解斜視図である。
【図４】第１の実施の形態に係る邪魔板部材及び第２の邪魔板部材の斜視図である。
【図５】第２の実施の形態に係る換気装置の断面図である。
【図６】従来例に係る換気棟の断面図である。
【符号の説明】
４        屋根
７        屋根開口部
１２        下部材
１３        上部材
１６        上壁
１７        側壁
２７        上壁
２８        側壁
３１        通風路
３２        出入口
３７        邪魔板部材
３８Ａ，Ｂ  下板部
３９Ａ，Ｂ  上板部
４０Ａ〜Ｄ  縦板部
４３Ａ，Ｂ  通風口
４６        立上板部
４７        立上板部
５０        風きり部
５４        第２の邪魔板部材
５６        邪魔板部
【図１】
2004278064.tif 000003
【図２】
2004278064.tif 000004
【図３】
2004278064.tif 000005
【図４】
2004278064.tif 000006
【図５】
2004278064.tif 000007
【図６】
2004278064.tif 000008